(57)【要約】【課題】集水桝に流入した排水中のゴミを確実に収集すると共に、排水の悪臭や排水中で発生する蚊等の虫が外部へ出てくるのを防ぐ集水桝用ゴミ収集受器を提供することを目的とする。【解決手段】集水桝８に載置されると共に平面視長方形の流路を上下方向に形成する角筒状受器本体１と、受器本体１の流路を開放遮断自在として付設された略長方形の板状蓋体４と、受器本体１の下方開口部１ｂを下方から包囲するように受器本体１の下方側に取外し自在に取り付けられたネット体２と、を備える。板状蓋体４は、受器本体１の左右壁内面に、水平軸心Ｌ廻りに揺動自在に枢支され、遮断状態で傾斜状である板状蓋体４に、板状蓋体４を遮断状態に復元する回転モーメントＭを付与するおもり６が取り付けられている。【選択図】  図１
2004360220.tif 000002
【特許請求の範囲】
【請求項１】
集水桝（８）に載置されると共に平面視長方形の流路を上下方向に形成する角筒状受器本体（１）と、該受器本体（１）の上記流路を開放遮断自在として付設された略長方形の板状蓋体（４）と、上記受器本体（１）の下方開口部（１ｂ）を下方から包囲するように上記受器本体（１）の下方側に取外し自在に取り付けられたネット体（２）と、を備え、
上記板状蓋体（４）は、上記受器本体（１）の左右壁内面に、水平軸心（Ｌ）廻りに揺動自在に枢支され、
遮断状態で傾斜状である上記板状蓋体（４）に、該板状蓋体（４）を遮断状態に復元する回転モーメント（Ｍ）を付与するおもり（６）が取り付けられたことを特徴とする集水桝用ゴミ収集受器。
【請求項２】
上記板状蓋体（４）の前端側（４ａ）と後端側（４ｂ）の裏面に、弯曲帯板（５）の両端部が固着され、該弯曲帯板（５）の略中間部におもり（６）が付設された請求項１記載の集水桝用ゴミ収集受器。
【請求項３】
集水桝（８）に取り付けられる取付用枠体（３）を有し、該取付用枠体（３）に、受器本体（１）が上方から嵌め込まれるように載置される請求項１又は２記載の集水桝用ゴミ収集受器。
【発明の詳細な説明】
【０００１】
【発明の属する技術分野】
本発明は、集水桝用ゴミ収集受器に関する。
【０００２】
【従来の技術】
従来は、地中に埋設されて溝や排水管に接続される集水桝本体の内部に収納され、側面に多くの通水孔を有し、上面の開口部に排水及びゴミが流入可能な目隠し蓋が取り付けられている集水桝用ゴミ収集受器が知られている（例えば、特許文献１参照）。
【０００３】
【特許文献１】
特開平１０−１８３７４６公報
【０００４】
【発明が解決しようとする課題】
この従来の集水桝用ゴミ収集受器は、桝の格子蓋を通って流入してくる排水及びゴミを目隠し蓋より流入して、通水孔でゴミを収集する。そして、目隠し蓋によって、上方からは内部の排水及びゴミが直接見えない構造になっている。しかし、目隠し蓋は上方に開放状態であるため、排水の悪臭や排水中で発生する蚊等の虫が、収集受器内から流出し、桝の格子蓋を通って道路に放たれて、環境を悪化させる原因となる。
【０００５】
そこで、本発明は、集水桝に流入した排水中のゴミを確実に収集すると共に、排水の悪臭や排水中で発生する蚊等の虫が外部へ出てくるのを防ぐ集水桝用ゴミ収集受器を提供することを目的とする。
【０００６】
【課題を解決するための手段】
上記の目的を達成するために、本発明に係る集水桝用ゴミ収集受器は、集水桝に載置されると共に平面視長方形の流路を上下方向に形成する角筒状受器本体と、該受器本体の上記流路を開放遮断自在として付設された略長方形の板状蓋体と、上記受器本体の下方開口部を下方から包囲するように上記受器本体の下方側に取外し自在に取り付けられたネット体と、を備え；上記板状蓋体は、上記受器本体の左右壁内面に、水平軸心廻りに揺動自在に枢支され；遮断状態で傾斜状である上記板状蓋体に、該板状蓋体を遮断状態に復元する回転モーメントを付与するおもりが取り付けられている。
【０００７】
また、上記板状蓋体の前端側と後端側の裏面に、弯曲帯板の両端部が固着され、該弯曲帯板の略中間部におもりが付設される。
さらに、集水桝に取り付けられる取付用枠体を有し、該取付用枠体に、受器本体が上方から嵌め込まれるように載置される。
【０００８】
【発明の実施の形態】
以下、実施の形態を示す図面に基づき、本発明を詳説する。
【０００９】
図１，図２，図３に示したように、本発明に係る集水桝用ゴミ収集受器は、集水桝８の上部に取り付けられる取付用枠体３と、取付用枠体３に上方から嵌め込まれるように載置される受器本体１と、受器本体１の流路を開放遮断自在として付設された板状蓋体４と、上記受器本体１の下方側に取り付けられ入り込んだゴミＤ…を回収するネット体２と、を備えている。取付用枠体３，受器本体１，板状蓋体４はステンレス等の鋼板から成る。
【００１０】
具体的には、受器本体１は、平面視長方形の流路を上下方向に形成する角筒状であり、上方開口部の周囲には、外方へ向けて形成される鍔部１ａを有し、下方部の４隅の壁外面には、受器本体１の下方開口部１ｂを下方から包囲するようにネット体２を取外し自在に取付けるためのフック部９…が付設されている。
【００１１】
略長方形の板状蓋体４は、受器本体１の流路を開放遮断自在として、受器本体１に付設されている。即ち、板状蓋体４は、側面視略中間部にて、受器本体１の左右壁内面に、水平軸心Ｌ廻りに揺動自在となるように枢支される。１３はその枢支のための枢支軸である。板状蓋体４は、遮断状態では、板状蓋体４の前端側４ａが受器本体１の前壁内面に当接し、後端側４ｂが受器本体１の後壁内面に当接して、傾斜状に保持される。また、受器本体１の左右壁内面の上部には、板状蓋体４の前端側４ａが当接して板状蓋体４の揺動を制止するための一対のストッパ部材１０，１０が、突設されている。
【００１２】
板状蓋体４の前端側４ａと後端側４ｂの裏面には、緩やかな弓型（あるいは円弧状）の弯曲帯板５の両端部が、溶接やリベット等にて固着されており、弯曲帯板５の略中間部に、板状蓋体４を遮断状態に復元する回転モーメントＭを付与するおもり６が取り付けられている。
【００１３】
取付用枠体３は、平面視略長方形状で、集水桝８の上部の取付面８ａに取り付けられる外方鍔部３ｂと、上記受器本体１の鍔部１ａが載置される内方鍔部３ａと、を有し、外方鍔部３ｂの前方側角部には、左右一対の切欠部３ｃ，３ｃが、（既存の）桝用開閉式格子蓋７の一対のヒンジ部材７ａ，７ａに対応する位置に、形成されている。
【００１４】
図５はゴミ収集受器を集水桝８に設置する順番を示す説明用斜視図で、取付用枠体３の外方鍔部３ｂが、地中に埋設された集水桝８の（段差をもって凹状に形成された）取付面８ａに載置され、次に、取付用枠体３に、受器本体１が上方から嵌め込まれるように載置される。そして、設置された取付用枠体３及び受器本体１の上方から、桝蓋７（図１，図２参照）が取り付けられる。
なお、ネット体２は、図５では図示を省略したが、予め、受器本体１の下部に取り付けておく。
【００１５】
次に、上記のゴミ収集受器の作用（機能）について説明する。図１に示すように、板状蓋体４上にゴミＤが溜まっていない（あるいは少ない）状態では、板状蓋体４は、おもり６に掛かる重力による力Ｆと力Ｆの作用線と水平軸心Ｌとの距離Ｒとの積である回転モーメントＭを水平軸心Ｌ廻りに受けて、遮断状態に保持されている。そして、桝蓋７の格子孔よりも小さなゴミＤ…（例えば、木の葉，塵，小石等）が集水桝８内に入り込んで板状蓋体４上に溜まっていくと、ゴミＤ…の荷重による回転モーメントが、上記おもり６による回転モーメントＭより大きくなり、板状蓋体４は、水平軸心Ｌ廻りに揺動し、図２に示したように、開放状態となり、ゴミＤ…は、ネット体２の上に落ちていく。
【００１６】
ゴミＤ…が板状蓋体４上から滑り落ちると、板状蓋体４は、図４に示したように、（上述したような）おもり６による回転モーメントＭを受けて、二点鎖線にて示すように、矢印１１の方向へ揺動していく。このとき、板状蓋体４が復元していくに従って、力Ｆの作用線と水平軸心Ｌとの距離Ｒが小さくなるので、板状蓋体４が受ける回転モーメントＭも小さくなっていき、揺動する速度が減少しながら復元していく。さらに、板状蓋体４は、二点鎖線の状態から、図１に示した遮断状態まで揺動する。
【００１７】
以上のようなゴミ収集受器は、板状蓋体４上にゴミＤ…がない時には、板状蓋体４がおもり６による回転モーメントＭによって遮断状態に保持されるので、集水桝８の下方の排水やネット体２上に溜まったゴミＤ…から発生する悪臭が流出したり、あるいは、（蚊等の）虫がゴミ収集受器の上方へ飛び出てくる虞れがない。また、板状蓋体４上に一定以上のゴミＤ…が溜まれば、その荷重により自動的に開放状態になって落とすことができる。そして、板状蓋体４は、おもり６により、（バネ等の部材を使用しなくても）自動的に遮断状態に復元される。しかも、復元していくに連れて揺動速度が減少していくので、板状蓋体４を緩やかに復元させることができ、騒音が発生せず、また故障もしにくい。
【００１８】
また、おもり６が取り付けられた弯曲帯板５の両端部が、板状蓋体４の前端側４ａと後端側４ｂの裏面の前端・後端に、溶接等にて固着されるので、熱による板状蓋体４の歪みを防ぐことができる。
【００１９】
また、受器本体１が、集水桝８に取り付けられる取付用枠体３から分離可能であるので、随時受器本体１を取り外して、板状蓋体４の回動部分のメンテナンスや、ネット体２の交換・ゴミＤ…の取出しを行うことができる。さらに、受器本体１の取り付けも、取付用枠体３に載置すればよいので、容易である。
【００２０】
【発明の効果】
本発明は、上述の構成により次のような著大な効果を奏する。
【００２１】
（請求項１によれば、）板状蓋体４上にゴミがない、あるいは少ない時には、板状蓋体４がおもり６による回転モーメントＭによって遮断状態に保持されるので、集水桝８の下方の排水やネット体２上に溜まったゴミから発生する悪臭，（蚊等の）虫がゴミ収集受器から上昇してくる虞れがなく、集水桝が設置される付近の環境を悪くすることはない。
【００２２】
（請求項２によれば、）簡素な構造でありながら、板状蓋体４を、（バネ等の部材を使用しなくても）自動的に遮断状態に復元することができ、ゴミが板状蓋体４に溜まっていない場合は、その遮断状態を保持できる。しかも、復元していくに連れて揺動速度が減少していくので、板状蓋体４を緩やかに復元させることができ、騒音が発生せず、また故障もしにくい。さらに、弯曲帯板５が、板状蓋体４の前端と後端に固着されるので、溶着しても板状蓋体４は歪まない。
【００２３】
（請求項３によれば、）随時受器本体１を取り外して、板状蓋体４の回動部分のメンテナンスや、ネット体２の交換・ゴミの取出しを行うことができる。さらに、受器本体１の取り付けも、取付用枠体３に載置すればよいだけなので、容易である。
【図面の簡単な説明】
【図１】本発明に係る集水桝用ゴミ収集受器の実施の一形態を示す断面側面図である。
【図２】板状蓋体が開放状態である断面側面図である。
【図３】平面図である。
【図４】説明用断面側面図である。
【図５】ゴミ収集受器を集水桝に設置する順番を示す説明用斜視図である。
【符号の説明】
１    受器本体
２    ネット体
３    取付用枠体
４    板状蓋体
４ａ  前端側
４ｂ  後端側
５    弯曲帯板
６    おもり
８    集水桝
Ｌ      水平軸心
Ｍ      回転モーメント
【図１】
2004360220.tif 000003
【図２】
2004360220.tif 000004
【図３】
2004360220.tif 000005
【図４】
2004360220.tif 000006
【図５】
2004360220.tif 000007